(57)【特許請求の範囲】
【請求項１】
ＰＡＬ方式のテレビ信号を受信して複合映像信号として映像復調回路に出力するとともに、ＳＥＣＡＭ方式のテレビ信号を受信、復調した後、ＰＡＬ方式の複合映像信号に変換して前記映像復調回路に出力可能な受信回路を有するＰＡＬ及びＳＥＣＡＭ対応型テレビ受信機において、
前記受信回路は、ＳＥＣＡＭ方式のテレビ信号の受信レベルが高いときには、当該ＳＥＣＡＭ方式のテレビ信号を復調した後、ＰＡＬ方式の複合映像信号に変換して出力する一方、ＳＥＣＡＭ方式のテレビ信号の受信レベルが低いときには、当該ＳＥＣＡＭ方式のテレビ信号をＰＡＬ方式のテレビ信号として処理して出力することを特徴とするＰＡＬ及びＳＥＣＡＭ対応型テレビ受信機。
【請求項２】
前記受信回路は、ＳＥＣＡＭ方式のテレビ信号の受信レベルが低下してＳＥＣＡＭ方式としての信号処理が困難になった場合に、ＳＥＣＡＭ方式のテレビ信号をＰＡＬ方式のテレビ信号として処理して出力することを特徴とする請求項１記載のＰＡＬ及びＳＥＣＡＭ受信機。
【請求項３】
前記受信回路は、ＳＥＣＡＭ方式のテレビ信号の受信レベルが低下して色消え状態になったとき、ＳＥＣＡＭ方式のテレビ信号をＰＡＬ方式の白黒放送信号として処理して出力することを特徴とする請求項１記載のＰＡＬ及びＳＥＣＡＭ対応型テレビ受信機。
【請求項４】
前記受信回路は、マルチ対応の映像復調回路、該映像復調回路から出力された放送方式判別出力に積分を施す積分回路、および該積分回路からの積分出力を基準電圧と比較して受信信号のＳＥＣＡＭ／ＰＡＬ判別を行う判別手段とを備えていることを特徴とする請求項１ないし３のいずれかに記載のＰＡＬ及びＳＥＣＡＭ対応型テレビ受信機。
【請求項５】
前記ＳＥＣＡＭ／ＰＡＬ判別手段は、前記積分回路からの積分出力を基準電圧と比較して受信信号の放送方式を判別するウインドウ・コンパレータを備えていることを特徴とする請求項３記載のＰＡＬ及びＳＥＣＡＭ対応型テレビ受信機。
【請求項６】
前記ウインドウ・コンパレータの基準電圧は、前記映像復調回路から出力される放送方式判別出力の中間値と異なる値に設定されていることを特徴とする請求項５記載のＰＡＬ及びＳＥＣＡＭ対応型テレビ受信機。
【発明の詳細な説明】
【０００１】
【発明の属する技術分野】
本発明は、ＰＡＬ及びＳＥＣＡＭ方式のテレビ信号を受信し、いずれの場合もＰＡＬ方式の複合映像信号として受信回路から出力するＰＡＬ及びＳＥＣＡＭ対応型テレビ受信機に関するものである。
【０００２】
【従来の技術】
図４は、ＰＡＬ及びＳＥＣＡＭ方式のテレビ信号を受信し、ＰＡＬ方式の複合映像信号として出力する従来のＰＡＬ及びＳＥＣＡＭ対応型テレビ受信機の受信回路のブロック図である。図４において、１はアンテナ、２はチューナ、３は中間周波回路、４はＰＡＬエンコーダ回路、５はマルチ対応のクロマ復調回路、６はシステム制御マイコン、７はＳＥＣＡＭ／ＰＡＬ判別回路である。
【０００３】
図４において、アンテナ１で受信されたＲＦテレビ信号は、まず、チューナ２で選局された後、中間周波回路３で増幅／検波され、ａ点に複合映像信号として出力される。
【０００４】
この複合映像信号は、ＮＴＳＣ／ＰＡＬ／ＳＥＣＡＭのマルチ対応のクロマ復調回路５においてＳＥＣＡＭ復調され、ＲＧＢの復調出力信号を出力する。このＲＧＢ信号はＰＡＬエンコーダ回路４においてＰＡＬカラー方式の複合映像信号に変換され、出力端子ｄを介して、映像復調回路（図示せず）に出力される。
【０００５】
ここで、マルチ対応のクロマ復調回路５は、入力された複合映像信号に対するカラーシステム自動判別機能を有し、判別出力端子ｂに、図５（ａ）に示すような判別結果を出力するようになっている。すなわち、受信信号がＮＴＳＣカラー方式であると判定した場合は、“Ｌ”（０）の電圧を出力し、ＳＥＣＡＭカラー方式と判定した場合は“Ｍ”（Ｖｓ）の電圧を出力し、ＰＡＬカラー方式と判定した場合は“Ｈ”（Ｖｐ）なる電圧を出力するようになっている。また、クロマ復調回路５からの自動判別出力信号はＳＥＣＡＭ／ＰＡＬ判別回路７に供給され、ＳＥＣＡＭ／ＰＡＬ判別回路７は、ＳＥＣＡＭ／ＰＡＬの判別をしてｃ点に出力し、この判別結果をシステム制御マイコン６に供給するようになっている。そして、システム制御マイコン６は、ＳＥＣＡＭ／ＰＡＬ判別信号を受けて、ＰＡＬエンコーダ回路４を制御し、ＳＥＣＡＭの場合は上述のようにＲＧＢ入力信号をＰＡＬ信号にエンコードする一方、ＰＡＬの場合は中間周波回路３の出力である複合映像信号をスルーさせて、そのままｄ点に出力するようになっている。
【０００６】
なお、システム制御マイコン６は、詳述しないが、ＰＡＬエンコーダ回路４の制御以外にも、ＳＥＣＡＭ／ＰＡＬ判別結果を利用して様々な制御を行うと共に、チューナ２に対する選局制御も行っている。
【０００７】
図６（ａ）にＳＥＣＡＭ／ＰＡＬ判別回路７の具体的な回路例を示す。ここに示す一例はウインドウ・コンパレータで、入力が或る電圧範囲の時のみ出力を出すようになっている。すなわち、図６（ａ）に示すように、オープン出力形式のコンパレータＱ１、Ｑ２を用い、コンパレータＱ１の＋入力端子に高い基準電圧Ｖｒｅｆ２を印加し、コンパレータＱ２の−入力端子に低い基準電圧Ｖｒｅｆ１を印加すると共に、Ｑ１の−入力端子とＱ２の＋入力端子に一括して入力信号を印加し、コンパレータＱ１、Ｑ２の出力をオア接続することで出力を取り出すものである。更に具体的には、２つの基準電圧は、図６（ａ）に示すように、抵抗Ｒ１、Ｒ２、Ｒ３からなるブリーダーにより電源電圧Ｖｃｃを分割することで生成でき、図５（ａ）に示したクロマ復調回路５からの自動判別出力からＳＥＣＡＭ／ＰＡＬ判別を行うためには、高い方の基準電圧Ｖｒｅｆ２を、
Ｖｒｅｆ２＝（Ｖｐ＋Ｖｓ）／２
と設定する一方、低い方の基準電圧Ｖｒｅｆ１を、
Ｖｒｅｆ１＝Ｖｓ／２
と設定し、両コンパレータＱ１、Ｑ２の出力端子を共通抵抗Ｒ４で電源にプルアップすることで、ウインドウ・コンパレータとなる。
【０００８】
従って、ウインドウ・コンパレータによるＳＥＣＡＭ／ＰＡＬ判別特性は、図６（ｂ）に示すように、入力電圧がＶｒｅｆ１〜Ｖｒｅｆ２の間では、“Ｈ”レベル出力になり、それ以外では“Ｌ”レベル出力になる。
【０００９】
ここで、入力電圧は、実際にはクロマ復調回路５からの自動判別出力であり、ＮＴＳＣ判定時の“Ｌ”（０）、ＳＥＣＡＭ判定時の“Ｍ”（Ｖｓ）、ＰＡＬ判定時の“Ｈ”（Ｖｐ）の３状態しかないため、ウインドウ・コンパレータは、ＳＥＣＡＭ時に“Ｈ”レベル出力となる一方、それ以外では“Ｌ”レベル出力となる。それ故、ＳＥＣＡＭ／ＰＡＬ判別機能を実現できることになる。
【００１０】
【発明が解決しようとする課題】
以上のような構成のＰＡＬ及びＳＥＣＡＭ対応型テレビ受信機において、受信テレビ信号が中電界や強電界で信号のＳ／Ｎが安定している場合は何ら問題ないが、車載用テレビ受信機のように、受信条件の変化が大きく、弱電界になることがある場合は問題が生じる。即ち、このような弱電界（特に、色消え電界以下）になって映像検波出力のＳ／Ｎが悪化した場合には、図５（ｂ）に示すように、クロマ復調回路５のカラーシステム自動判別機能が誤動作を起こして出力が不定になり、図５（ｃ）に示すように、判別出力が周期的に“Ｍ”と“Ｌ”を繰り返す状態が発生する。その結果、ＳＥＣＡＭ／ＰＡＬ判別回路７の出力も“Ｈ”と“Ｌ”を繰り返すことになり、これを受けたシステム制御マイコン６もＰＡＬエンコーダ４をＳＥＣＡＭモードとＰＡＬモードに頻繁に切換えることになるため、この出力をテレビモニターに表示するとフリッカー状の見にくい画面になってしまうという問題がある。これは、映像検波出力をスルー出力する場合（ＰＡＬモード）と、一旦ＳＥＣＡＭ復調後にＰＡＬエンコードした場合（ＳＥＣＡＭモード）では、全く等しい複合映像信号として出力することが困難なためである。
【００１１】
このように、ＰＡＬ及びＳＥＣＡＭ方式のテレビ信号を受信し、ＰＡＬ方式の複合映像信号として出力するテレビ受信機において、色消え電界以下の弱信号を受信した場合は、クロマ復調回路のカラーシステム自動判別機能が誤動作を起こす結果、テレビ受信機の複合映像信号としてＰＡＬ方式の安定な複合映像信号を出力できなくなり、テレビモニター画面上の表示映像が不安定になるという問題がある。
【００１２】
そこで、本発明の課題は、色消え電界以下等の弱信号のＳＥＣＡＭ信号を受信した場合でも、受信回路から安定な複合映像信号を出力できるＰＡＬ及びＳＥＣＡＭ対応型テレビ受信機を提供することにある。
【００１３】
【課題を解決するための手段】
上記課題を解決するため、本発明では、ＰＡＬ方式のテレビ信号を受信して複合映像信号として映像復調回路に出力するとともに、ＳＥＣＡＭ方式のテレビ信号を受信／復調した後、ＰＡＬ方式の複合映像信号に変換して前記映像復調回路に出力可能な受信回路を有するＰＡＬ及びＳＥＣＡＭ対応型テレビ受信機において、前記受信回路は、ＳＥＣＡＭ方式のテレビ信号の受信レベルが高いときには、当該ＳＥＣＡＭ方式のテレビ信号を復調した後、ＰＡＬ方式の複合映像信号に変換して出力し、ＳＥＣＡＭ方式のテレビ信号の受信レベルが低いときには、当該ＳＥＣＡＭ方式のテレビ信号をＰＡＬ方式のテレビ信号として処理して出力することを特徴とする。
【００１４】
本発明において、前記受信回路は、例えば、ＳＥＣＡＭ信号の受信レベルが低下してＳＥＣＡＭ方式としての信号処理が困難になった場合に、ＳＥＣＡＭ信号をＰＡＬ信号として処理して出力する。
【００１５】
本発明において、前記受信回路は、例えば、ＳＥＣＡＭ信号の受信レベルが低下して色消え状態になったとき、ＳＥＣＡＭ信号をＰＡＬの白黒放送信号として処理して出力する。
【００１６】
本発明を適用したテレビ受信機では、ＰＡＬ方式の信号を受信した場合は、映像検波出力をそのまま複合映像信号として出力する一方、ＳＥＣＡＭ方式のテレビ信号を受信した場合は、一旦ＳＥＣＡＭ復調した後、ＰＡＬ方式の複合映像信号にエンコードして出力することで、ＰＡＬ対応のテレビモニターで両方式のテレビ信号を受像することが可能となる。また、本発明では、ＳＥＣＡＭ方式のテレビ信号の受信レベルが低下してＳＥＣＡＭ方式としての信号処理が困難になった場合、あるいは色消え電界以下の弱電界となった場合には、受信信号のカラー方式に拘わらず全て、ＰＡＬ方式のテレビ信号として信号処理する。従って、ＳＥＣＡＭ方式のテレビ信号の受信レベルが低下した場合でも常に安定なＰＡＬ方式の複合映像信号を出力することができ、複合映像信号として映像検波出力をスルーしたものと、ＳＥＣＡＭ復調後にＰＡＬエンコードした信号が頻繁に切換って出力される状態が発生することがない。それ故、弱電界受信時でも安定な映像表示を実現できる。特に、車載用のテレビ受信機のような移動受信では弱電界受信は避けられず、弱電界で元々受信映像の品位が低下している上に、画面表示の不安定さが重なると益々画面が見にくくなるが、このような問題も本発明によれば回避することができる。
【００１７】
本発明において、前記受信回路は、マルチ対応の映像復調回路、該映像復調回路から出力されたカラーシステム判別出力に積分を施す積分回路、および該積分回路からの積分出力を基準電圧と比較して受信信号のＳＥＣＡＭ／ＰＡＬ判別を行う判別手段とを備えている。
【００１８】
本発明において、前記ＳＥＣＡＭ／ＰＡＬ判別手段は、前記積分回路からの積分出力を基準電圧と比較して受信信号の放送方式を判別するウインドウ・コンパレータを備えている。
【００１９】
本発明において、前記ウインドウ・コンパレータの基準電圧は、前記映像復調回路から出力されるカラーシステム判別出力の中間値と異なる値に設定されていることが好ましい。
【００２０】
【発明の実施の形態】
図１は、本発明を適用したＰＡＬ方式及びＳＥＣＡＭ方式対応型テレビ受信機の受信回路に関するブロック図である。図２（ａ）、（ｂ）はそれぞれ、図１に示す受信回路でのカラーシステム判別動作の基本原理を示す説明図、および図１に示す受信回路でクロマ復調回路からのカラーシステム判別出力に積分を施した効果を示す説明図である。図３は、図１に示す受信回路によりカラーシステムを判別、指定した結果を示す説明図である。なお、本発明を適用したテレビ受信機の基本的な構成は、従来例と共通するので、等価な部分には同一の符号を付してある。
【００２１】
図１に示すＰＡＬ方式及びＳＥＣＡＭ方式対応型テレビ受信機の受信回路において、１はアンテナ、２はチューナ、３は中間周波回路、４はＰＡＬエンコーダ回路、５はマルチ対応のクロマ復調回路、６はシステム制御マイコン、７はＳＥＣＡＭ／ＰＡＬ判別回路、８は積分回路である。
【００２２】
本発明を適用したテレビ受信機でも、図４を参照したものと同様、アンテナ１で受信されたＲＦテレビ信号は、チューナ２で選局された後、中間周波回路３で増幅／検波されてａ点に複合映像信号として出力される。また、この複合映像信号は、ＮＴＳＣ／ＰＡＬ／ＳＥＣＡＭのマルチ対応クロマ復調回路５においてＳＥＣＡＭ復調され、ＲＧＢの復調出力信号を出力する。このＲＧＢ信号はＰＡＬエンコーダ回路４においてＰＡＬカラー方式の複合映像信号に変換され、出力端子ｄを介して、映像復調回路（図示せず）に出力される。
【００２３】
クロマ復調回路５は、入力された複合映像信号に対するカラーシステム自動判別機能を有し、判別出力端子ｂに、図２（ａ）に示すような判別出力を出力するようになっている。すなわち、受信信号がＮＴＳＣカラー方式であると判定した場合は、“Ｌ”（０）の電圧を出力し、ＳＥＣＡＭカラー方式と判定した場合は“Ｍ”（Ｖｓ）の電圧を出力し、ＰＡＬカラー方式と判定した場合は“Ｈ”（Ｖｐ）なる電圧を出力するようになっている。
【００２４】
また、ＳＥＣＡＭ／ＰＡＬ判別回路７は、クロマ復調回路５からの自動判別出力信号に基づいて、ＳＥＣＡＭ／ＰＡＬ判別し、この判別結果をｃ点に出力してシステム制御マイコン６に供給するようになっている。そして、システム制御マイコン６は、ＳＥＣＡＭ／ＰＡＬ判別信号を受けて、ＰＡＬエンコーダ回路４を制御し、ＳＥＣＡＭの場合には、上述のようにＲＧＢ入力信号をＰＡＬ信号にエンコードする一方、ＰＡＬの場合には中間周波回路３の出力である複合映像信号をスルーして、ｄ点に出力するようになっている。従って、ＰＡＬ対応のテレビモニターで、ＰＡＬ方式およびＳＥＣＡＭ方式、両方式のテレビ信号を受像することが可能となる。
【００２５】
ここで、ＳＥＣＡＭ／ＰＡＬ判別回路７として、本形態でも、図６（ａ）に示すウインドウ・コンパレータが用いられ、入力が或る電圧範囲の時のみ出力を出す。すなわち、図６（ａ）に示すように、オープン出力形式のコンパレータＱ１、Ｑ２を用い、コンパレータＱ１の＋入力端子に高い基準電圧を印加し、コンパレータＱ２の−入力端子に低い基準電圧を印加すると共に、コンパレータＱ１の−入力端子とコンパレータＱ２の＋入力端子に一括して入力信号を印加し、コンパレータＱ１、Ｑ２の出力をオア接続することで出力を取り出すものである。ここで、２つの基準電圧は、図６（ａ）に示すように、抵抗Ｒ１、Ｒ２、Ｒ３からなるブリーダーにより電源電圧Ｖｃｃを分割することで生成でき、本形態では、高い方の基準電圧Ｖｒｅｆ２は、従来例と同様、
Ｖｒｅｆ２＝（Ｖｐ＋Ｖｓ）／２
と設定してあるが、低い方の基準電圧Ｖｒｅｆ１′については後述するように、
Ｖｒｅｆ１′≒３Ｖｓ／４
と従来と異なる値に設定してある。
【００２６】
このように構成したテレビ受信機において、本形態では、まず、クロマ復調回路５のカラーシステム判別出力端子ｂと、ＳＥＣＡＭ／ＰＡＬ判別回路７との間に積分回路８を設けたことに特徴を有する。また、これに合せて、ブロック図には表れないが、図２（ａ）、（ｂ）に示すように、ＳＥＣＡＭ／ＰＡＬ判別回路７の判別条件（基準電圧）を変えたことにも特徴を有する。
【００２７】
以下に図１、図２、及び図３を参照して、本発明の特徴点を具体的に説明する。本形態でも、従来例で問題となった色消え電界以下でのカラーシステム誤判別時、クロマ復調回路５から出力されるカラーシステム判別出力電圧は、図２（ｂ）に示すように、４Ｈ（水平同期周期）毎に“Ｍ”と“Ｌ”の出力を繰り返す状態になる。
【００２８】
しかるに本形態では、クロマ復調回路５のカラーシステム判別出力端子ｂと、ＳＥＣＡＭ／ＰＡＬ判別回路７との間に積分回路８を設け、クロマ復調回路５の出力を４Ｈに比較して十分に大きな時定数の積分回路８で積分するため、図１のｅ点における積分出力波形として、図２（ｂ）に実線Ｌ１で示すように、僅かなリップルの残った直流に近い電圧が得られ、この積分出力がＳＥＣＡＭ／ＰＡＬ判別回路７に入力されることになる。
【００２９】
ここで、積分回路８における積分の時定数を大きくすればするほど残留リップルが減ることになるが、積分の時定数が大きいと、チャンネル切換などで受信信号のテレビ方式が変化した時、ＳＥＣＡＭ／ＰＡＬ判別回路７の判別出力の応答性が悪化することになるため、余り大きくすることは好ましくない。
【００３０】
また、図２（ｂ）に示すように、４Ｈ（水平同期周期）毎に“Ｍ”と“Ｌ”の出力を繰り返す状態になった時、積分出力電圧Ｖａは、当然のことながら
Ｖａ≒Ｖｓ／２
となり、従来のＳＥＣＡＭ／ＰＡＬ判別回路７におけるウインドウ・コンパレータの検出窓では、下側の基準電圧Ｖｒｅｆ１と積分出力電圧Ｖａがほぼ一致することになってしまう。その結果、ウインドウ・コンパレータは、積分出力の残留リップルを検出してしまい、従来と同様、ＳＥＣＡＭ／ＰＡＬ判別出力として４Ｈ周期で“Ｈ”及び“Ｌ”を繰り返す波形の信号を出力してしまうことになる。
【００３１】
そこで本形態では、ウインドウ・コンパレータの下側の基準電圧Ｖｒｅｆ１′として、ＳＥＣＡＭ検出出力電圧Ｖｓと、積分出力電圧Ｖａの中間となる値、即ち
Ｖｒｅｆ１′≒３Ｖｓ／４
に設定してある。
【００３２】
従って、ウインドウ・コンパレータによるＳＥＣＡＭ／ＰＡＬ判別特性は、入力電圧がＶｒｅｆ１′〜Ｖｒｅｆ２の間では“Ｈ”レベル出力になり、それ以外では“Ｌ”レベル出力になる。その結果、図３に示すように、色消え点以下の場合には、常に“Ｌ”レベルとなり、この判別結果に基づいて、システム制御マイコン６は、ＳＥＣＡＭ方式のテレビ信号であっても、ＰＡＬ方式のテレビ信号と同様に処理する。すなわち、色消え点以下の場合、システム制御マイコン６は、ＳＥＣＡＭ方式のテレビ信号であっても、ＰＡＬ方式のテレビ信号と同様、中間周波回路３の出力である複合映像信号をスルーさせて、ｄ点に出力する。
【００３３】
このように、本発明を適用したテレビ受信機では、基準電圧Ｖｒｅｆ１′をＳＥＣＡＭ検出出力電圧Ｖｓと積分出力電圧Ｖａの中間となる値に設定したため、カラーシステム誤判別により、積分回路８から、図２（ｂ）に実線Ｌ１で示すようなリップルの残留する信号が出力されても、ＳＥＣＡＭ／ＰＡＬ判別回路７においてウインドウ・コンパレータはこれを検出せず、ｃ点にＳＥＣＡＭ／ＰＡＬ判別回路７の出力として安定な“Ｌ”（ＰＡＬモード）レベルを出力する。従って、マイコン６は、ＰＡＬエンコーダ４に対してスルー動作の制御をおこなうことになるので、テレビ受信機の複合映像信号としては中間周波回路３の検波出力である複合映像信号を何も処理せずそのまま出力し続けることになり、弱電界映像ながら安定な映像表示を実現できるものである。
【００３４】
ここで、受信した弱電界テレビ信号がＳＥＣＡＭ方式の信号であった場合、ＳＥＣＡＭ信号を受信しているにも拘わらず映像検波出力をスルー出力することになるため一見不都合なように見えるが、元来ＳＥＣＡＭやＰＡＬ方式というのはカラー信号の処理に関する方式の違いに過ぎないので、カラーキラーが動作して色消えが生じている状態では両方式に有意差はなく、単なる白黒テレビ信号としての価値しかなくなるため、ＰＡＬ信号として処理しても何ら不都合は生じない。むしろ、ＳＥＣＡＭ信号としてクロマ復調回路５で何らかの信号処理を経てＲＧＢ信号となったものを再びＰＡＬエンコード処理するよりＳ／Ｎの面で有利になる。
【００３５】
【発明の効果】
以上述べたように、本発明によれば、ＰＡＬ及びＳＥＣＡＭ方式のテレビ信号を受信し、ＰＡＬ方式の複合映像信号として出力するテレビ受信回路において、色消え電界以下の弱信号を受信した場合でも、カラーシステム自動判別機能の誤動作によるＳＥＣＡＭ／ＰＡＬ処理の乱れを防止し、ＰＡＬ方式の安定な複合映像信号を出力する。このため、テレビモニター画面上に安定な映像表示を実現することができる。また、ＳＥＣＡＭ方式のテレビ信号を受信した場合に、誤動作の起きる弱電界ではＳＥＣＡＭ復調処理をせずにＰＡＬ方式の白黒信号として処理するため、ＳＥＣＡＭ復調後にＰＡＬエンコード処理する場合に比較してＳ／Ｎの向上を図ることができる。
【図面の簡単な説明】
【図１】本発明を適用したＰＡＬ及びＳＥＣＡＭ対応型テレビ受信機の受信回路のブロック図である。
【図２】（ａ）、（ｂ）はそれぞれ、図１に示す受信回路でのカラーシステム判別動作の基本原理を示す説明図、および図１に示す受信回路でクロマ復調回路からのカラーシステム判別出力に積分を施した効果を示す説明図である。
【図３】図１に示す受信回路によりカラーシステムを判別、指定した結果を示す説明図である。
【図４】従来のＰＡＬ及びＳＥＣＡＭ対応型テレビ受信機の受信回路のブロック図である。
【図５】（ａ）、（ｂ）、（ｃ）はそれぞれ、図４に示す従来方式でのカラーシステム判別動作の原理を示す説明図、判別結果を示す説明図、およびその問題点を示す説明図である。
【図６】（ａ）、（ｂ）はそれぞれ、ＳＥＣＡＭ／ＰＡＬ判別回路として使用されるウインドウ・コンパレータの等価回路図、およびこのコンパレータを用いて従来の方式でカラーシステムを判別した結果を示す説明図である。
【符号の説明】
１  アンテナ
２  チューナ
３  中間周波回路
４  ＰＡＬエンコーダ回路
５  クロマ復調回路
６  システム制御マイコン
７  ＳＥＣＡＭ／ＰＡＬ判別回路
８  積分回路
【図１】
0003797154.tif 000002
【図２】
0003797154.tif 000003
【図３】
0003797154.tif 000004
【図４】
0003797154.tif 000005
【図５】
0003797154.tif 000006
【図６】
0003797154.tif 000007